(57)【要約】【課題】エネルギー供給施設に立ち寄った後の走行を考慮してエネルギー供給施設を適切に案内可能なナビゲーション装置およびプログラムを提供する。【解決手段】ガソリンスタンドを検索し（Ｓ１０１）、設定された目的地への経路に関する経路情報を取得する（Ｓ１０２）。取得された経路情報に基づき、検索されたガソリンスタンドのうち、フルサービスのガソリンスタンドまたはセルフサービスのガソリンスタンドを選択し（Ｓ１０３、Ｓ１０４、Ｓ１０５）、選択されたガソリンスタンドに関する情報を出力する（Ｓ１０６）。これにより、ガソリンスタンドに立ち寄った後の走行を考慮して、適切なガソリンスタンドを案内することができるので、ユーザの利便性が向上する。【選択図】  図３
2011180000.tif 000002
【特許請求の範囲】
【請求項１】
車両の走行に要するエネルギー源を供給するエネルギー供給施設を検索するエネルギー供給施設検索手段と、
設定された目的地への経路に関する経路情報を取得する経路情報取得手段と、
前記エネルギー供給施設検索手段により検索された前記エネルギー供給施設のうち、前記車両へのエネルギー源の供給を前記エネルギー供給施設に所属するスタッフが行うフルサービス施設、または、前記車両へのエネルギー源の供給を前記車両の乗員が行うセルフサービス施設のいずれかを前記経路情報に基づいて選択する選択手段と、
前記選択手段により選択された前記エネルギー供給施設の情報を出力する情報出力手段と、
を備えることを特徴とするナビゲーション装置。
【請求項２】
前記選択手段は、前記経路に高速走行又は定常走行が予想される特定走行区間が含まれる場合、前記フルサービス施設を選択することを特徴とする請求項１に記載のナビゲーション装置。
【請求項３】
前記選択手段は、前記特定走行区間が所定距離以上である場合、前記フルサービス施設を選択することを特徴とする請求項２に記載のナビゲーション装置。
【請求項４】
前記選択手段は、前記目的地までの距離が所定距離以上である場合、前記フルサービス施設を選択することを特徴とする請求項１に記載のナビゲーション装置。
【請求項５】
前記経路情報は、前記目的地の施設の種別を示す施設種別情報を含み、
前記選択手段は、前記施設種別情報に基づき、前記エネルギー供給施設に所属するスタッフによるエネルギー源の供給をユーザが所望すると推定される場合、前記フルサービス施設を選択することを特徴とする請求項１〜４のいずれか一項に記載のナビゲーション装置。
【請求項６】
車両の走行に要するエネルギー源を供給するエネルギー供給施設を検索するエネルギー供給施設検索手段と、
設定された目的地への経路に関する経路情報を取得する経路情報取得手段と、
前記エネルギー供給施設検索手段により検索された前記エネルギー供給施設のうち、前記車両へのエネルギー源の供給を前記エネルギー供給施設に所属するスタッフが行うフルサービス施設、または、前記車両へのエネルギー源の供給を前記車両の乗員により行うセルフサービス施設のいずれかを前記経路情報に基づいて選択する選択手段と、
前記選択手段により選択された前記エネルギー供給施設の情報を出力する情報出力手段と、
を備えることを特徴とするプログラム。
【発明の詳細な説明】
【技術分野】
【０００１】
本発明は、ナビゲーション装置及びプログラムに関する。
【背景技術】
【０００２】
従来、施設、例えばガソリンスタンド、を検索し、検索された施設を案内するナビゲーション装置が知られている。例えば特許文献１では、ユーザが、入力操作部を通じて表示されたサービスステーション利用目的情報（以下、「サービスステーション」を「ＳＳ」という。）の項目から所望の項目を選択する。そして車載端末とセンタシステムとが通信を行うことにより、センタシステムから車載端末にＳＳ検索結果が供給され、ユーザが入力操作部を通じてＳＳ検索結果として表示されたＳＳ店舗情報のうちから所望のＳＳ店舗情報を選択する旨の入力操作を行うと、選択されたＳＳ店舗を目的地として設定して経路を探索する。
【先行技術文献】
【特許文献】
【０００３】
【特許文献１】特開２００７−２４１９４３号公報
【発明の概要】
【発明が解決しようとする課題】
【０００４】
ところで例えば、高速道路を走行する前や長距離走行の前には、燃料の補給の際に、併せてタイヤの空気圧等の点検を行ってから走行することが安全性の面および燃費の面から好ましい。しかしながら、特許文献１では、車両がサービスステーションに立ち寄った後、どのような走行を行うのか（例えば、近所に買い物に行く、旅行に出かける、等）を考慮したサービスステーションの案内は行われていなかった。
本発明は、上述の課題に鑑みてなされたものであり、その目的は、エネルギー供給施設に立ち寄った後の走行を考慮したエネルギー供給施設を適切に案内可能なナビゲーション装置およびプログラムを提供することにある。
【課題を解決するための手段】
【０００５】
請求項１に記載のナビゲーション装置は、車両の走行に要するエネルギー源を供給するエネルギー供給施設を検索するエネルギー供給施設検索手段と、設定された目的地への経路に関する経路情報を取得する経路情報取得手段と、エネルギー供給施設検索手段により検索されたエネルギー供給施設のうち、車両へのエネルギー源の供給をエネルギー供給施設に所属するスタッフが行うフルサービス施設、または、車両へのエネルギー源の供給を車両の乗員が行うセルフサービス施設のいずれかを経路情報に基づいて選択する選択手段と、選択手段により選択されたエネルギー供給施設の情報を出力する情報出力手段と、を備える。これにより、エネルギー供給施設に立ち寄った後の走行を考慮した適切なエネルギー供給施設を案内可能であるので、ユーザの利便性が向上する。
【０００６】
ところで、フルサービス施設では、例えばタイヤの空気圧チェック等の比較的簡単な点検をサービスとして実施していることが多い。そこで、請求項２に記載の選択手段は、経路に高速走行又は定常走行が予想される特定走行区間が含まれる場合、フルサービス施設を選択する。また、請求項３に記載の選択手段は、特定走行区間が所定距離以上である場合、フルサービス施設を選択する。これにより、高速走行又は定常走行を行う前に、エネルギー供給施設としてフルサービス施設を案内可能であり、エネルギー源の補給の際に併せて点検を促すことにより、その後の走行における安全性や燃費の向上が期待される。
【０００７】
請求項４に記載の発明の選択手段は、目的地までの距離が所定距離以上である場合、フルサービス施設を選択する。これにより、長距離走行の前に、エネルギー供給施設としてフルサービス施設を案内可能であり、エネルギー源の補給の際に併せて点検を促すことにより、その後の走行における安全性や燃費の向上が期待される。
【０００８】
請求項５に記載の発明では、経路情報は、目的地の施設の種別を示す施設種別情報を含む。選択手段は、施設種別情報に基づき、エネルギー供給施設に所属するスタッフによるエネルギー源の供給をユーザが所望すると推定される場合、フルサービス施設を選択する。これにより、ユーザがスタッフによるエネルギー源の供給を所望する場合には、フルサービス施設を案内可能であるので、ユーザの利便性が向上する。
【０００９】
以上、ナビゲーション装置の発明として説明してきたが、次に示すようなプログラムの発明として実現することもできる。
すなわち、車両の走行に要するエネルギー源を供給するエネルギー供給施設を検索するエネルギー供給施設検索手段と、設定された目的地への経路に関する経路情報を取得する経路情報取得手段と、エネルギー供給施設検索手段により検索されたエネルギー供給施設のうち、車両へのエネルギー源の供給をエネルギー供給施設に所属するスタッフが行うフルサービス施設、または、車両へのエネルギー源の供給を車両の乗員が行うセルフサービス施設のいずれかを経路情報に基づいて選択する選択手段と、選択手段により選択されたエネルギー供給施設の情報を出力する情報出力手段と、を備えるプログラムである。このようなプログラムを実行することで、上述のナビゲーション装置と同様の効果が奏される。
【図面の簡単な説明】
【００１０】
【図１】本発明の第１実施形態によるナビゲーション装置の構成を示すブロック図である。
【図２】本発明の第１実施形態による施設情報データベースを説明する説明図である。
【図３】本発明の第１実施形態によるガソリンスタンド検索処理を説明するフローチャートである。
【図４】本発明の第２実施形態によるガソリンスタンド検索処理を説明するフローチャートである。
【図５】本発明の第３実施形態によるガソリンスタンド検索処理を説明するフローチャートである。
【発明を実施するための形態】
【００１１】
以下、本発明によるナビゲーション装置を図面に基づいて説明する。
（第１実施形態）
図１は、本発明の第１実施形態によるナビゲーション装置としての車載器１の全体構成を示すブロック図である。車載器１は、制御部１０を中心に構成されており、制御部１０に接続される位置検出器２０、地図データ記憶部３０、操作スイッチ群４０、描画部６０、音声出力部７０等を備えている。
【００１２】
制御部１０は、通常のコンピュータとして構成されている。制御部１０の内部には、ＣＰＵ、ＲＯＭ、Ｉ／Ｏ、および、これらの構成を接続するバスラインなどが備えられている。
位置検出器２０は、いずれも周知の地磁気センサ２１、ジャイロスコープ２２、距離センサ２３、および、衛星からの電波を受信するＧＰＳ（Ｇｌｏｂａｌ  Ｐｏｓｉｔｉｏｎ
ｉｎｇ  Ｓｙｓｔｅｍ）受信機２４等を有している。これらのセンサ２１〜２４は、各々が性質の異なる誤差を持っているため、相互に補完しながら使用される。
【００１３】
地図データ記憶部３０は、例えばハードディスク装置（ＨＤＤ）として実現される記憶装置である。なお、本実施形態ではＨＤＤを用いたが、ＤＶＤ−ＲＯＭや、メモリカード等の他の媒体を用いても差し支えない。地図データ記憶部３０は、位置検出の精度向上のためのいわゆるマップマッチング用データおよび経路を探索するための地図データを記憶している。
【００１４】
地図データには、道路上に設定されたノードを示すノードデータ、ノード同士の連結を示すリンクデータ等が含まれる。リンクデータには、道路種別情報が含まれる。道路種別情報は、例えば高速道路、バイパス道路、一般道路等のように、道路を複数の種別に区分した際の種別に関する情報である。本実施形態では、それぞれのリンク対して、高速道路、バイパス道路、一般道路のいずれかであることを示す情報が対応づけて記憶されている。
また地図データには、施設に関する施設情報が含まれる。施設情報は、具体的には施設を特定するＩＤと関連付けられて記憶されているＰＯＩ（Ｐｏｉｎｔ  Ｏｆ  Ｉｎｔｅｒｅｓｔ）情報である。ＰＯＩ情報には、施設名称、施設ＩＤ、位置座標、種別（ジャンル）を示す情報などが含まれる。
【００１５】
ここで、図２に基づいて施設情報データベースについて説明する。施設情報データベースには、施設名称、施設ＩＤ、当該施設の位置座標、および施設の種別を示す情報が関連付けて記憶されている。なお、図２においては、施設の種別が「ガソリンスタンド」である施設について例示している。また、施設の種別が「ガソリンスタンド」である施設については、フルサービスのガソリンスタンドであることを示すフルフラグ、または、セルフサービスのガソリンスタンドであることを示すセルフルラグが関連付けて記憶されている。
【００１６】
例えば、フルサービスのガソリンスタンドであるＰ社Ａ店については、施設名称「Ｐ社Ａ店」、施設ＩＤ「０００１」、位置座標（ｘ１，ｙ１）が関連付けて記憶されている。また、Ｐ社Ａ店はフルサービスのガソリンスタンドであるので、フルフラグがセットされている。
また例えば、セルフサービスのガソリンスタンドであるＱ社Ｂ店については、施設名称「Ｑ社Ｂ店」、施設ＩＤ「０００２」、位置座標（ｘ２，ｙ２）が関連付けて記憶されている。また、Ｑ社Ｂ店はセルフサービスのガソリンスタンドであるので、セルフフラグがセットされている。
【００１７】
なお、本実施形態においては、ガソリンスタンドに所属するスタッフが給油作業を行う所謂フルサービスのガソリンスタンドが「車両へのエネルギー源の供給をエネルギー供給施設に所属するスタッフが行うフルサービス施設」に対応し、ガソリンスタンドに所属するスタッフが給油作業を行わず、車両の乗員（主に運転者）が給油作業を行う所謂セルフサービスのガソリンスタンドが「車両へのエネルギー源の供給を車両の乗員が行うセルフサービス施設」に対応している。また、ガソリンスタンドが「エネルギー供給施設」に対応しており、一般的にガソリンスタンドで供給される軽油およびガソリン（レギュラー、ハイオク）が「エネルギー源」に対応している。
【００１８】
図１に戻り、操作スイッチ群４０は、ディスプレイ６１と一体になったタッチスイッチもしくはメカニカルなスイッチやリモコン装置等で構成され、各種入力に使用される。
描画部６０には、ディスプレイ６１が接続されている。ディスプレイ６１は、液晶やＣＲＴを用いたカラーディスプレイである。このディスプレイ６１を介して情報表示が行われる。
音声出力部７０には、スピーカ７１が接続されている。スピーカ７１を介して音声による案内が行われる。
【００１９】
ところで本実施形態では、経路情報に基づいて適切なガソリンスタンドを案内可能である点に特徴を有している。そこで、図３に示すフローチャートに基づいてガソリンスタンド検索処理を説明する。
【００２０】
図３に示すガソリンスタンド検索処理は、予め目的地が設定され、当該目的地への経路が探索された後に実行される処理である。
初めのステップＳ１０１（以下、「ステップ」を省略し、単に記号「Ｓ」で示す）では、ガソリンスタンドを検索する。本実施形態では、ユーザが操作スイッチ群４０を操作することにより検索が実行され、ここでは目的地への経路に隣接するガソリンスタンドが検索されるものとする。
【００２１】
Ｓ１０２では、設定された目的地へ至る経路に関する経路情報を取得する。本実施形態における経路情報には、経路を構成するリンクに対応づけられている道路種別情報が含まれる。
【００２２】
Ｓ１０３では、Ｓ１０２で取得した経路情報に基づき、高速走行が予想される特定走行区間が所定距離（例えば、３０ｋｍ）以上であるか否かを判断する。本実施形態では、道路種別が「高速道路」または「バイパス道路」であるリンクが、「高速走行が予想される特定走行区間」であるものとする。特定走行区間が所定距離未満であると判断された場合（Ｓ１０３：ＮＯ）、Ｓ１０５へ移行する。特定走行区間が所定距離以上であると判断された場合（Ｓ１０３：ＹＥＳ）、Ｓ１０４へ移行する。
【００２３】
高速走行を行う場合、低速走行時と比較してスタンディングウェーブ現象が起こりやすく、バーストしやすい。したがって、高速走行前には、空気圧を確認し、空気圧が低い場合には空気圧を高めてから高速走行を行うことが安全性の面から好ましい。また、高速走行前には、空気圧を高めておくことが燃費の面からも好ましい。
【００２４】
ところで、フルサービスのガソリンスタンドでは、給油時に空気圧チェック等の点検を無料で行ってもらえる場合が多い。そこで本実施形態では、高速走行前には、フルサービスのガソリンスタンドを案内することより、給油の際に併せて空気圧チェック等の点検を促す。すなわち、特定走行区間が所定距離以上であると判断された場合（Ｓ１０３：ＹＥＳ）に移行するＳ１０４では、Ｓ１０１にて検索されたガソリンスタンドのうち、フルフラグがセットされているフルサービスのガソリンスタンドを選択する。
【００２５】
高速走行を行わない場合あるいは高速走行距離が短い場合には、一般的にフルサービスのガソリンスタンドに比べて価格が安いセルフサービスのガソリンスタンドを案内する。すなわち、特定走行区間が所定距離未満であると判断された場合（Ｓ１０３：ＮＯ）に移行するＳ１０５では、Ｓ１０１にて検索されたガソリンスタンドのうち、セルフフラグがセットされているセルフサービスのガソリンスタンドを選択する。
【００２６】
Ｓ１０６では、Ｓ１０４またはＳ１０５で選択されたガソリンスタンドをディスプレイ６１にリスト表示する。すなわち、Ｓ１０４の後に移行した場合、フルサービスのガソリンスタンドを車両の現在位置から近い順にリスト表示する。また、Ｓ１０５の後に移行した場合、セルフサービスのガソリンスタンドを車両の現在位置から近い順にリスト表示する。そして、ユーザにより操作スイッチ群４０を介してガソリンスタンドが選択されると、選択されたガソリンスタンドを経由地として設定し、この経由地への案内を行う。
【００２７】
以上詳述したように、車載器１では、ガソリンスタンドを検索し（Ｓ１０１）、設定された目的地への経路に関する経路情報を取得する（Ｓ１０２）。そして取得された経路情報に基づき、検索されたガソリンスタンドのうち、フルサービスのガソリンスタンドまたはセルフサービスのガソリンスタンドを選択し（Ｓ１０３〜Ｓ１０５）、選択されたガソリンスタンドに関する情報を出力する（Ｓ１０６）。これにより、ガソリンスタンドに立ち寄った後の走行を考慮して、適切なガソリンスタンドを案内することができるので、ユーザの利便性が向上する。
【００２８】
本実施形態では、経路に高速走行が予測される特定走行区間が所定距離以上である場合（Ｓ１０３：ＹＥＳ）、フルサービスのガソリンスタンドを選択する（Ｓ１０４）。フルサービスのガソリンスタンドでは、給油の際に、タイヤの空気圧等の点検をサービスとして実施している場合が多い。そこで、経路に高速走行が予測される特定走行区間が含まれる場合、フルサービスのガソリンスタンドを案内可能であり、給油の際に併せて点検を促すことにより、その後の走行における安全性や燃費の向上が期待される。
【００２９】
（第２実施形態）
本発明の第２実施形態は、上記第１実施形態と同様の構成であり、ガソリンスタンド検索処理のみが異なっている。そこで、ガソリンスタンド検索処理について、図４に基づいて説明する。
図４に示すガソリンスタンド検索処理は、予め目的地が設定され、当該目的地への経路が探索された後に実行される処理である。
【００３０】
初めのＳ２０１では、ガソリンスタンドを検索する。本実施形態では、ユーザが操作スイッチ群４０を操作することにより検索が実行され、ここでは目的地への経路に隣接するガソリンスタンドが検索されるものとする。
Ｓ２０２では、設定された目的地へ至る経路に関する経路情報を取得する。経路情報には、車両の現在位置から設定された目的地へ至る経路上を走行した場合の走行距離に関する走行距離情報が含まれる。
【００３１】
Ｓ２０３では、Ｓ２０２で取得した経路情報に含まれる走行距離情報に基づき、目的地までの走行距離が所定距離（例えば、１００ｋｍ）以上であるか否かを判断する。目的地までの走行距離が所定距離未満であると判断された場合（Ｓ２０３：ＮＯ）、Ｓ２０５へ移行する。目的地までの走行距離が所定距離以上であると判断された場合（Ｓ２０３：ＹＥＳ）、Ｓ２０４へ移行する。
【００３２】
目的地までの距離が長い場合、長時間運転する蓋然性が高い。そこで本実施形態では、安全性および燃費の面から、フルサービスのガソリンスタンドを案内することにより、タイヤの空気圧等の点検を促す。すなわち、目的地までの走行距離が所定距離以上であると判断された場合（Ｓ２０３：ＹＥＳ）に移行するＳ２０４では、Ｓ２０１にて検索されたガソリンスタンドのうち、フルフラグがセットされているフルサービスのガソリンスタンドを選択する。
【００３３】
目的地までの距離が短い場合、比較的価格が安いセルフサービスのガソリンスタンドを案内する。すなわち、目的地までの走行距離が所定距離未満であると判断された場合（Ｓ２０３：ＮＯ）、Ｓ２０１にて検索されたガソリンスタンドのうち、セルフフラグがセットされているセルフサービスのガソリンスタンドを選択する。
【００３４】
Ｓ２０６では、Ｓ２０４またはＳ２０５で選択されたガソリンスタンドをディスプレイ６１にリスト表示する。すなわち、Ｓ２０４の後に移行した場合、フルサービスのガソリンスタンドをリスト表示する。また、Ｓ２０５の後に移行した場合、セルフサービスのガソリンスタンドをリスト表示する。そして、ユーザにより操作スイッチ群４０を介してガソリンスタンドが選択されると、選択されたガソリンスタンドを経由地として設定し、この経由地への案内を行う。
【００３５】
以上詳述したように、本実施形態では、目的地までの走行距離が所定距離以上である場合（Ｓ２０３：ＹＥＳ）、フルサービスのガソリンスタンドを選択する。これにより、長距離走行の前には、フルサービスのガソリンスタンドを案内可能であり、給油の際に併せて点検を促すことにより、その後の走行における安全性や燃費の向上が期待される。
【００３６】
（第３実施形態）
本発明の第３実施形態は、上記第１実施形態と同様の構成であり、ガソリンスタンド検索処理のみが異なっている。そこで、ガソリンスタンド検索処理について、図５に基づいて説明する。
図５に示すガソリンスタンド検索処理は、予め目的地が設定され、当該目的地への経路が探索された後に実行される処理である。
【００３７】
初めのＳ３０１では、ガソリンスタンドを検索する。本実施形態では、ユーザが操作スイッチ群４０を操作することにより検索が実行され、ここでは目的地への経路に隣接するガソリンスタンドが検索されるものとする。
Ｓ３０２では、設定された目的地に関する目的地情報を経路情報として取得する。目的地情報には、目的地の施設の種別を示す施設種別情報が含まれる。
【００３８】
Ｓ３０３では、Ｓ３０２で取得された目的地情報に含まれる施設種別情報に基づき、ガソリンスタッフに所属するスタッフによる給油をユーザが所望すると推定されるか否かを判断する。例えば、目的地が冠婚葬祭場である場合、ユーザは正装をしていることが予想される。このような場合、自ら給油作業を行うことによって服が汚れることを懸念し、スタッフによる給油を所望すると推定される。また例えば、目的地が病院である場合、ユーザは運転できる程度ではあるものの怪我や病気に罹患していることが予想される。このような場合、ユーザが車両から降りることを嫌い、スタッフによる給油を所望すると推定される。そこで、本実施形態では、目的地の施設の種別が「冠婚葬祭場」または「病院」である場合、「ガソリンスタッフに所属するスタッフによる給油をユーザが所望する」と推定されるものとし、目的地の施設種別が「冠婚葬祭場」および「病院」以外である場合、「ガソリンスタンドに所属するスタッフによる給油をユーザが所望しない」と推定する。ガソリンスタンドに所属するスタッフによる給油をユーザが所望しないと推定された場合（Ｓ３０３：ＮＯ）、すなわち目的地の施設種別が「冠婚葬祭場」および「病院」以外である場合、Ｓ３０５へ移行する。ガソリンスタンドに所属するスタッフによる給油をユーザが所望すると推定された場合（Ｓ３０３：ＹＥＳ）、すなわち目的地の施設種別が「冠婚葬祭場」または「病院」である場合、Ｓ３０４へ移行する。なお、本実施形態では、目的地の施設種別が「冠婚葬祭場」または「病院」である場合、「ガソリンスタッフに所属するスタッフによる給油をユーザが所望する」と推定されるものとしたが、出発地の施設の種別が「冠婚葬祭場」または「病院」である場合も同様に、「ガソリンスタッフに所属するスタッフによる給油をユーザが所望する」と推定してもよい。そこで、例えば往路における目的地情報を記憶しておき、復路の経路設定時にこの目的地情報を復路の出発地情報として取得する等して、出発地の施設に関する出発地情報を経路情報として取得し、出発地の施設の種別を示す施設種別情報に基づき、エネルギー供給施設に所属するスタッフによるエネルギー源の供給をユーザが所望すると推定される場合、フルサービス施設を選択するようにしてもよい。
【００３９】
ガソリンスタンドに所属するスタッフによる給油をユーザが所望すると推定された場合（Ｓ３０３：ＹＥＳ）に移行するＳ３０４では、Ｓ３０１にて検索されたガソリンスタンドのうち、フルフラグがセットされているフルサービスのガソリンスタンドを選択する。
ガソリンスタンドに所属するスタッフによる給油をユーザが所望しないと推定された場合（Ｓ３０３：ＮＯ）に移行するＳ３０５では、Ｓ３０１にて検索されたガソリンスタンドのうち、セルフフラグがセットされているセルフサービスのガソリンスタンドを選択する。
【００４０】
Ｓ３０６では、Ｓ３０４またはＳ３０５で選択されたガソリンスタンドをディスプレイ６１にリスト表示する。すなわち、Ｓ３０４の後に移行した場合、フルサービスのガソリンスタンドをリスト表示する。また、Ｓ３０５の後に移行した場合、セルフサービスのガソリンスタンドをリスト表示する。そして、ユーザにより操作スイッチ群４０を介してガソリンスタンドが選択されると、選択されたガソリンスタンドを経由地として設定し、この経由地への案内を行う。
【００４１】
以上詳述したように、本実施形態では、目的地の施設の種別を示す施設種別情報に基づき、スタッフによる給油をユーザが所望すると推定される場合（Ｓ３０３：ＹＥＳ）、フルサービスのガソリンスタンドを選択する。これにより、ユーザがスタッフによる給油を所望する場合には、フルサービスのガソリンスタンドを案内可能であるので、ユーザの利便性が向上する。
【００４２】
上記第１実施形態〜第３実施形態では、制御部１０が「エネルギー供給施設検索手段」、「経路情報取得手段」、「選択手段」、「情報出力手段」を構成している。また、Ｓ１０１，Ｓ２０１，Ｓ３０１が「エネルギー供給施設検索手段」の機能としての処理に相当し、Ｓ１０２，Ｓ２０２，Ｓ３０２が「経路情報取得手段」の機能としての処理に相当し、Ｓ１０３〜Ｓ１０５，Ｓ２０３〜Ｓ２０５，Ｓ３０３〜Ｓ３０５が「選択手段」の機能としての処理に相当し、Ｓ１０６，Ｓ２０６，Ｓ３０６が「情報出力手段」の機能としての処理に相当する。
【００４３】
なお、上記第１実施形態〜第３実施形態におけるＳ１０３，Ｓ２０３，Ｓ３０３の判断処理は、組み合わせて実行してもよい。例えば、Ｓ１０３およびＳ２０３を組み合わせ、経路情報に基づき、特定走行区間が所定距離以上である場合、または、目的地までの走行距離が所定距離以上である場合、フルサービスのガソリンスタンドを選択し、給油の際に併せて点検を促すことが安全性および燃費の面で好ましい。また例えばＳ１０３およびＳ３０３を組み合わせ、特定走行区間が所定距離以上である場合、または、施設種別情報に基づきスタッフによる給油を所望すると推定される場合、フルサービスのガソリンスタンドを選択してもよい。また例えば、Ｓ２０３およびＳ３０３を組み合わせて、目的地までの走行距離が所定距離以上である場合、または、施設種別情報に基づきスタッフによる給油を所望すると推定される場合、フルサービスのガソリンスタンドを選択してもよい。さらに、Ｓ１０３，Ｓ２０３，Ｓ３０３を全て組み合わせてもよい。
【００４４】
以上、本発明は、上記実施形態になんら限定されるものではなく、発明の趣旨を逸脱しない範囲において種々の形態で実施可能である。
（ア）エネルギー供給施設
エネルギー供給施設は、車両の走行に要するエネルギー源としてガソリンを供給するガソリンスタンドに限らず、その他のエネルギーを供給する施設であってもよい。例えば、天然ガス、ＬＰＧ、メタノール、水素等をエネルギー源として供給する所謂「エコステーション」であってもよい。また、電気自動車を充電する充電ステーションであってもよい。
【００４５】
（イ）エネルギー供給施設の検索
上記実施形態では、Ｓ１０１、Ｓ２０１、およびＳ３０１において、ユーザが操作スイッチ群４０を操作することにより経路に隣接するガソリンスタンドを検索したが、経路に隣接するガソリンスタンドに限らず、例えば車両の現在位置周辺のガソリンスタンドを検索してもよい。また、ガソリンスタンドの検索は、ユーザからの入力に基づく検索に限らず、制御部１０の内部で自動的に実行してもよい。例えば、ガソリンの残量が所定量（例えば１０リットル）を下回ったときに自動的にガソリンスタンド検索を行ってもよい。また例えば、ガソリンの残量と目的地までの走行距離とに基づき、現在のガソリン残量では目的地まで走行できず、給油を要すると判断される場合、自動的にガソリンスタンド検索を行ってもよい。
【００４６】
（ウ）特定走行区間
上記第１実施形態では、道路種別が高速道路またはバイパス道路である道路を高速走行が予想される特定走行区間とした。特定走行区間は、経路を構成するリンクの制限速度に基づいて特定してもよい。すなわち、制限速度が所定値（例えば、８０ｋｍ／ｈ）以上である道路を特定走行区間としてもよい。
また、例えば信号が少ない道路では、比較的高速（例えば、５０ｋｍ／ｈ）にて定常走行が可能である。このような定常走行が可能な道路を走行する場合、高速道路等を走行する場合と同様、タイヤの空気圧チェックを行い、空気圧を高めておくことで燃費の向上が期待できる。そこで、単位距離当たりの停止要因の存在個数が一定値以下となる区間を定常走行が予想される特定走行区間としてもよい。これにより、定常走行の前に、フルサービスのガソリンスタンドを選択し、給油の際に併せて点検を促すことにより、その後の走行における安全性や燃費の向上が期待される。停止要因としては、信号および交差点が例示される。交差点に関しては、経路を構成するリンクが優先道路であり、経路に対して交差する道路のみに一時停止が設定されている場合には、停止要因から除外してもよい。
【００４７】
上記第１実施形態では、特定走行区間が所定距離以上の場合、フルサービスのガソリンスタンドを選択したが、距離によらず特定走行区間が存在する場合、フルサービスのガソリンスタンドを選択してもよい。
【００４８】
（エ）目的地までの距離
上記第２実施形態では、車両の現在位置から設定された目的地へ至る経路上を走行した場合の走行距離が所定距離以上である場合、フルサービスのガソリンスタンドを選択したが、目的地までの距離は、経路上を走行した場合の走行距離、すなわち道なり距離に限らず、車両の現在位置から目的地までの直線距離に基づいて判断してもよい。
【００４９】
（オ）経路情報
上記（エ）のように、第２実施形態において目的地までの距離を車両の現在位置から目的地までの直線距離に基づいて判断する場合、目的地へ至る経路が探索されているか否かは問わない。すなわち、「経路情報」は、設定された目的地の位置座標、および、車両の現在位置である現在位置座標と目的地の位置座標とから算出される直線距離に関する情報であってもよい。
同様に、第３実施形態においても、予め目的地への経路が探索されていたが、目的地への経路が探索されていなくてもよい。
【００５０】
（カ）検索結果の表示
第１実施形態では、Ｓ１０４にてフルサービスのガソリンスタンドが選択された場合、Ｓ１０６にてフルサービスのガソリンスタンドのみをリスト表示した。また、Ｓ１０５にてセルフサービスのガソリンスタンドが選択された場合、Ｓ１０６にてセルフサービスのガソリンスタンドのみをリスト表示するようにした。
【００５１】
ここで、Ｓ１０６にてリスト表示を行うにあたり、Ｓ１０４にてフルサービスのガソリンスタンドが選択された場合、Ｓ１０６にてフルサービスのガソリンスタンドの優先度を高めてリスト表示してもよい。例えば、フルサービスのガソリンスタンドを車両の現在位置から近い順に表示し、その後にセルフサービスのガソリンスタンドを車両の現在位置から近い順に表示してもよい。同様に、Ｓ１０５にてセルフサービスのガソリンスタンドが選択された場合、Ｓ１０６にてセルフサービスのガソリンスタンドの優先度を高めてリスト表示してもよい。
【００５２】
また、Ｓ１０６にて選択結果を表示する場合、リスト表示に限らず、地図上のアイコンにて表示してもよい。例えば、Ｓ１０４またはＳ１０５で選択されたガソリンスタンドのアイコンを大きくしたり、点滅させたりしてもよい。
このような選択結果の表示については、第２実施形態および第３実施形態においても同様である。
【００５３】
（キ）情報出力手段
上記実施形態では、検索結果を描画部６０に出力し、ディスプレイ６１に表示していた。他の実施形態では、ナビゲーション装置自体において具体的に表示や音声等で案内を行わず、他の装置（例えば、携帯端末）に選択結果に係る情報を出力することのみによって情報出力手段を構成してもよい。
【００５４】
（ク）ナビゲーション装置
上記実施形態では、ナビゲーション装置の一例として車載器について説明した。ナビゲーション装置は、携帯電話に代表される携帯端末であってもよい。また、車載器や携帯端末と情報通信を行う情報センタ内の装置がナビゲーション装置を構成してもよい。
【符号の説明】
【００５５】
１：車載器（ナビゲーション装置）、１０：制御部（エネルギー供給施設検索手段、経路情報取得手段、選択手段、情報出力手段）、２０：位置検出器、２１：地磁気センサ、２２：ジャイロスコープ、２３：距離センサ、２４：ＧＰＳ受信機、３０：地図データ記憶部、４０：操作スイッチ群、６０：描画部、６１：ディスプレイ、７０：音声出力部、７１：スピーカ
【図１】
2011180000.tif 000003
【図２】
2011180000.tif 000004
【図３】
2011180000.tif 000005
【図４】
2011180000.tif 000006
【図５】
2011180000.tif 000007